(57)【要約】【課題】使用者がガス調理器から離れた場所いるときにも、使用者が、加熱／停止手動操作部を閉じることを促す報知に気付きやすく、無駄な報知を継続することのないガス調理器を提供する。【解決手段】ガスバーナと、加熱／停止手動操作部と、加熱を制御する制御部と、リモコン側無線通信部との間で無線通信を行う無線通信部を備え、調理終了時に制御部がガスバーナによる加熱を停止する自動調理を実行し、加熱を停止した後、加熱／停止手動操作部を消火位置に戻すことを促す報知を行うガス調理器において、制御部との間で通信データの送受信を行うための無線通信を行うリモコン側無線通信部５０Ｓと、音または光によって報知を行う報知部４０（４０ａ、４０ｂ）とを具備するリモコン５０を備え、リモコンが、自動調理が終了した時点で、報知部によって報知を行うように構成する。【選択図】図４
2018179431.tif 000002
【特許請求の範囲】
【請求項１】
被調理物を加熱するガスバーナと、前記ガスバーナの点消火を行う加熱／停止手動操作部と、前記ガスバーナによる加熱を制御する制御部と、下記リモコンとの間で無線通信を行う無線通信部とを備え、
前記ガスバーナによって前記被調理物を加熱する調理を行うとともに、前記調理の終了時に前記制御部が前記ガスバーナによる加熱を停止する自動調理を実行し、
前記ガスバーナによる加熱を停止した後、前記加熱／停止手動操作部を、前記ガスバーナが消火した状態となる消火位置に戻すことを促す報知を行うように構成されたガス調理器であって、
前記制御部との間で無線通信を行うリモコン側無線通信部と、音または光によって報知を行う報知部とを具備するリモコンを備え、
前記自動調理が終了した時点で、前記リモコンの前記報知部が前記自動調理が終了した旨の報知を行うように構成されていること
を特徴とするガス調理器。
【請求項２】
前記制御部が、前記自動調理が終了した時点で、前記リモコンに対して、通信データとして自動調理終了信号を前記無線通信によって送信し、
前記リモコンが、前記自動調理終了信号を受信したときに、前記報知部によって報知を行うように構成されていること
を特徴とする請求項１記載のガス調理器。
【請求項３】
該ガス調理器が複数存在している場合において、複数のガス調理器のそれぞれに異なるＩＤコードが設定されており、
前記制御部が、前記通信データに前記ＩＤコードを含めて前記無線通信によって送信するように構成され、
前記リモコンが、受信した前記通信データに前記ＩＤコードが含まれるとき、前記通信データを当該リモコンに対応する制御部からの通信データとして受信するように構成されていること
を特徴とする請求項２記載のガス調理器。
【請求項４】
該ガス調理器がＩＤコード転送手段を備えているとともに、前記ＩＤコードが前記制御部に格納されており、
前記制御部が、前記ＩＤコード転送手段によって、前記ＩＤコードを前記リモコンに転送するように構成されていること
を特徴とする請求項３記載のガス調理器。
【請求項５】
該ガス調理器が、交番磁界を発生させる交番磁界発生部を備え、
前記リモコンが、電源としてのバッテリーと、前記交番磁界によって発生した交流電圧を直流電圧に変換して直流電圧を発生させる直流電圧発生部とを備え、
前記バッテリーが、前記直流電圧発生部で発生した直流電圧によって充電され、かつ、
前記交番磁界発生部に重畳された前記ＩＤコードが、前記交流電圧に重畳される形態で前記リモコンに転送されるように構成されていること
を特徴とする請求項４記載のガス調理器。
【請求項６】
該ガス調理器に対して所定の操作を行ったときに、前記リモコンが音による報知を行うように構成されていることを特徴とする請求項１〜５のいずれかに記載のガス調理器。
【発明の詳細な説明】
【技術分野】
【０００１】
本発明は、ガス調理器に関し、詳しくはバーナにおいて燃料であるガスを燃焼させて食材を加熱するように構成されたガス調理器に関する。
【背景技術】
【０００２】
ガス調理器には、調理時間を設定することができるように構成されたものがある。
【０００３】
そして、特許文献１には、そのようなガス調理器として、調理時間を設定するためのタイマ入力部およびタイマ表示部を備えたガス調理器が開示されている。
【０００４】
ところで、調理時間を設定するためのタイマ入力部およびタイマ表示部を備えたガス調理器では、一般的に、使用者がタイマ入力部を用いて設定したタイマ時間がタイマ表示部に表示され、時間が経過することによって、このタイマ時間がカウントダウンされ、タイマ時間がゼロになるとガスを遮断してバーナを消火するとともに、タイマによる調理が終了したことを報知するように構成される。
【０００５】
なお、特許文献１に記載されたガス調理器のように、加熱部での加熱の開始と停止を行うための手動操作部（例えば、メカニカルバルブ）によって、加熱の開始および加熱の停止を手動で行うように構成した場合、加熱部による加熱を制御する制御部によって上述の手動操作部（以下、「加熱／停止手動操作部」ともいう）が駆動されることがないので、一般的には、タイマによる調理が終了した時点で、加熱／停止手動操作部を操作する（閉じ操作する）ことを促す報知を行うようにしている。
【０００６】
また、特許文献２には、マイクロコンピュータによってガスを制御するようにした電子制御式ガス調理器であって、タイマによる調理が終了した時点で、メカニカルバルブ（加熱の開始と停止を行うための手動操作部）を閉じ操作することを促す報知を行うようにした電子制御式ガス調理器が開示されている。
【先行技術文献】
【特許文献】
【０００７】
【特許文献１】特開２０１５−００４４７９号公報
【特許文献２】特公平０７−０４３１３９号公報
【発明の概要】
【発明が解決しようとする課題】
【０００８】
しかし、一般的に、タイマによる調理を行う場合、使用者は、ガス調理器から離れた場所にいることが多く、タイマによる調理が終了したことを知らせる報知が行われたときに、使用者がこの報知に気付かないことが考えられる。そして、その場合、メカニカルバルブ（加熱の開始と停止を行うための手動操作部）を閉じ操作することを促す報知は、通常、使用者によってメカニカルバルブの閉じ操作が行われるまで、所定のインターバルで繰り返し行われることになる。
【０００９】
このように、メカニカルバルブ（加熱の開始と停止を行うための手動操作部）を閉じることを促す報知が所定のインターバルで繰り返し行われても、使用者がこの報知に気付かない場合、報知が、使用者によってメカニカルバルブ（加熱の開始と停止を行うための手動操作部）が閉じ操作されるまで、所定のインターバルで繰り返して行われることになる。
【００１０】
その結果、報知のためのエネルギ（通常は電力）が無駄に消費され、省エネルギの観点から好ましくないばかりでなく、ガス調理器を使用していない第三者に対して煩わしい思いをさせてしまうという問題点がある。
【００１１】
本発明は、上記課題を解決するものであり、使用者がガス調理器から離れた場所にいる場合にも、加熱／停止手動操作部を閉じることを促す報知に気付きやすく、無駄な報知が継続されることのないガス調理器を提供することを目的とする。
【課題を解決するための手段】
【００１２】
上記の目的を達成するために、本発明のガス調理器は、
被調理物を加熱するガスバーナと、前記ガスバーナの点消火を行う加熱／停止手動操作部と、前記ガスバーナによる加熱を制御する制御部と、下記リモコンとの間で無線通信を行う無線通信部とを備え、
前記ガスバーナによって前記被調理物を加熱する調理を行うとともに、前記調理の終了時に前記制御部が前記ガスバーナによる加熱を停止する自動調理を実行し、
前記ガスバーナによる加熱を停止した後、前記加熱／停止手動操作部を、前記ガスバーナが消火した状態となる消火位置に戻すことを促す報知を行うように構成されたガス調理器であって、
前記制御部との間で無線通信を行うリモコン側無線通信部と、音または光によって報知を行う報知部とを具備するリモコンを備え、
前記自動調理が終了した時点で、前記リモコンの前記報知部が前記自動調理が終了した旨の報知を行うように構成されていること
を特徴としている。
【００１３】
本発明のガス調理器においては、
前記制御部が、前記自動調理が終了した時点で、前記リモコンに対して、通信データとして自動調理終了信号を前記無線通信によって送信し、
前記リモコンが、前記自動調理終了信号を受信したときに、前記報知部によって報知を行うように構成されていること
が好ましい。
【００１４】
また、該ガス調理器が複数存在している場合において、複数のガス調理器のそれぞれに異なるＩＤコードが設定されており、
前記制御部が、前記通信データに前記ＩＤコードを含めて前記無線通信によって送信するように構成され、
前記リモコンが、受信した前記通信データに前記ＩＤコードが含まれるとき、前記通信データを当該リモコンに対応する制御部からの通信データとして受信するように構成されていること
が好ましい。
【００１５】
また、該ガス調理器がＩＤコード転送手段を備えているとともに、前記ＩＤコードが前記制御部に格納されており、
前記制御部が、前記ＩＤコード転送手段によって、前記ＩＤコードを前記リモコンに転送するように構成されていること
が好ましい。
【００１６】
また、該ガス調理器が、交番磁界を発生させる交番磁界発生部を備え、
前記リモコンが、電源としてのバッテリーと、前記交番磁界によって発生した交流電圧を直流電圧に変換して直流電圧を発生させる直流電圧発生部とを備え、
前記バッテリーが、前記直流電圧発生部で発生した直流電圧によって充電され、かつ、
前記交番磁界発生部に重畳された前記ＩＤコードが、前記交流電圧に重畳される形態で前記リモコンに転送されるように構成されていること
が好ましい。
【００１７】
また、該ガス調理器に対して所定の操作を行ったときに、前記リモコンが音による報知を行うように構成されていることが好ましい。
【発明の効果】
【００１８】
本発明のガス調理器は、上述のように構成されており、前記自動調理が終了した時点で、リモコンに備える前記報知部が自動調理が終了した旨の報知を行うように構成されるので、使用者がガス調理器から離れた場所にいる場合であっても、使用者が、加熱／停止手動操作部を消火位置に戻すことを促す報知に気付きやすいため、無駄な報知を継続することのないガス調理器を提供することが可能になる。
【００１９】
また、制御部が、自動調理が終了した時点で、リモコンに対して、通信データとして自動調理終了信号を無線通信によって送信し、リモコンが、自動調理終了信号を受信したときに、報知部によって報知を行うように構成した場合、本発明のガス調理器を確実に構成することができる。
【００２０】
また、該ガス調理器が複数存在している場合において、複数のガス調理器のそれぞれに異なるＩＤコードが設定されており、制御部が、無線通信において、通信データにＩＤコードを含めて無線通信によって送信するように構成され、リモコンが、受信した通信データにＩＤコードが含まれるとき、通信データを当該リモコンに対応する制御部からの通信データとして受信するように構成した場合、複数のガス調理器が設置された場合にも、リモコンが、当該リモコンに対応する制御部以外の制御部から送信される通信データによって誤動作することを防止することが可能になり、信頼性を確保することができる。
【００２１】
また、該ガス調理器がＩＤコード転送手段を備え、ＩＤコードが制御部に格納され、制御部が、ＩＤコード転送手段によって、ＩＤコードをリモコンに転送するように構成した場合、メンテナンスなどにより、制御部またはリモコンを取り換える必要が生じたときに、制御部とリモコンを同じＩＤコードによって対応付けることが可能になり、有意義である。
【００２２】
また、該ガス調理器が、交番磁界を発生させる交番磁界発生部を備え、リモコンが、電源としてのバッテリーと、交番磁界によって発生した交流電圧を直流電圧に変換して直流電圧を発生させる直流電圧発生部とを備え、バッテリーが、直流電圧発生部で発生した直流電圧により充電することができるように構成するとともに、交番磁界発生部に重畳されたＩＤコードが、交流電圧に重畳される形態でリモコンに転送されるように構成した場合、リモコンの電源となるバッテリーを充電するときや、制御部からリモコンにＩＤコードを転送するときに、電線による制御部とリモコンとの接続が不要であることから、接続不良や接点の接触不良などを引き起こすことがなく、信頼性が高く、使い勝手の良好なガス調理器を提供することができる。
【００２３】
該ガス調理器に対して所定の操作を行ったときに、リモコンが音による報知を行うように構成することにより、リモコンをどこかに置き忘れたような場合などに、リモコンの音による報知によってリモコンの存在場所が判明するので、使い勝手の良好なガス調理器を提供することができる。
【図面の簡単な説明】
【００２４】
【図１】本発明の一実施形態にかかるガス調理器（ガスコンロ）の全体構成を示す斜視図である。
【図２】本発明の一実施形態にかかるガスコンロの調理設定部を示す正面図である。
【図３Ａ】本発明の一実施形態にかかるガスコンロのコンロバーナ（ガスバーナ）およびグリルバーナ（ガスバーナ）へのガス供給を説明する図である。
【図３Ｂ】本発明の一実施形態にかかるガスコンロのガス弁ブロックを示す概略断面図である。
【図３Ｃ】本発明の一実施形態にかかるガスコンロのコンロバーナの断面図である。
【図４】本発明の一実施形態にかかるガスコンロとともに用いられるリモコンを示す図であって、（ａ）は正面図、（ｂ）は切欠き側面図である。
【図５】本発明の一実施形態にかかるガスコンロのリモコンホルダ付近の切欠き正面図である。
【図６】本発明の一実施形態にかかるガスコンロのリモコンホルダにリモコンを装着した状態のリモコンホルダ付近の切欠き正面図である。
【図７】本発明の別実施形態にかかるガスコンロのリモコンホルダにリモコンを装着した状態のリモコンホルダ付近の切欠き正面図である。
【発明を実施するための形態】
【００２５】
以下、本発明の実施形態を示して、その特徴とするところをさらに詳しく説明する。
【００２６】
［実施形態］
以下、本発明の一実施形態にかかるガスコンロについて、添付図面を参照しつつ説明を行う。なお、この実施形態にかかるガスコンロは、コンロ部とグリルを備えたビルトイン型のガスコンロである。
【００２７】
図１に示すように、この実施形態にかかるガスコンロ１は、その天面部を構成するトッププレート１１に複数の加熱部２が設けられている。この実施形態では図１に示すように、向かって左側および右側に加熱部２として高火力のコンロバーナ（ガスバーナ）３１を備えたコンロ部２ａが設けられている。トッププレート１１の上面には各コンロバーナ３１を中心にして五徳２１が設けられており、前記コンロバーナ３１と五徳２１と、点火装置２３および点火検知装置２４（図３Ａ、図３Ｃ参照）とにより、加熱部２としてのコンロ部２ａが構成されている。
【００２８】
なお、点火装置２３は、入力回路（高圧トランスの１次側巻き線を含む）が一つに対して出力回路（高圧トランスの２次側巻き線）が各バーナの数だけ備えられ、一つの前記入力回路への通電により各々の前記出力回路（高圧トランスの２次側巻き線）に高電圧が発生し、各バーナの全てに点火用放電のための高電圧が供給される。
【００２９】
各コンロ部２ａには、図３Ｃに示すように、五徳２１上に載置される調理容器を検知する容器検知手段２５と、調理容器の下面の温度を検知する温度センサ２６とが設けられている。
容器検知手段２５は、ガスコンロ１に固定される支持部２５ａと、支持部２５ａに上下方向に移動自在に支持される可動部２５ｂと、可動部２５ｂの上下位置を検知する検知スイッチ２５ｃとにより構成されている。
【００３０】
可動部２５ｂはばね等の付勢手段（図示せず）により上方に付勢され、その上端部は五徳２１よりも上方に突出するように構成されている。この状態で五徳２１上に調理容器が載置されると、可動部２５ｂの上端部が調理容器の下面に押し下げられ、可動部２５ｂの下動に伴い検知スイッチ２５ｃにより下動が検知され、後述する制御部１００に認識される。そして、可動部２５ｂの上端部には温度センサ２６が設けられており、調理容器が五徳２１上に載置されたときに温度センサ２６が調理容器の下面に当接して温度を検知し、検知された温度は制御部１００に認識されるように構成されている。
【００３１】
またガスコンロ１には、図１に示すように、加熱部２としてのグリル２ｂが設けられている。グリル２ｂは、ガスコンロ１の本体内の中央部に形成されるグリル庫と、グリル庫内に設けられる加熱手段としてのグリルバーナ（図示せず）と、点火装置２３および点火検知装置２４とで構成され、グリル２ｂの前端はガスコンロ１の前面部１２に開口していてグリル扉２８によって開閉自在に閉塞されるように構成されている。
【００３２】
点火検知装置２４は、コンロバーナ３１およびグリルバーナに設けられる熱電対から構成されており、点火されると火炎の熱により発生する熱起電力が制御部１００に認識される。
【００３３】
グリル扉２８の両側には、図１に示すように、グリル扉２８とともにガスコンロ１の前面部１２を構成する前面パネルＰ１、Ｐ２が設けられており、左側の前面パネルＰ１の上側には、左側のコンロバーナ３１を点火／消火するための点消火ボタン１４ａが設けられている。また、右側の前面パネルＰ２の上側の左側より、グリルバーナを点火／消火するための点消火ボタン１４ｂ、右側のコンロバーナ３１を点火／消火するための点消火ボタン１４ｃが設けられている。そして、これら点消火ボタン１４（１４ａ、１４ｂ、１４ｃ）が、加熱部２での加熱の開始／加熱の停止を手動で行うための加熱／停止手動操作部を構成している。
また前面部１２には、各加熱部２の加熱量を手動で調節するための加熱量手動操作部となる火力調節レバー１５（１５ａ、１５ｂ、１５ｃ）が、それぞれ各点消火ボタン１４ａ、１４ｂ、１４ｃの上に設けられている。
【００３４】
ガス弁ブロック６は、図３Ｂに示すように、器具栓本体６０に、内部のガス流路６１と、ガス流路６１の上流端となる導入口６１ａおよび下流端となる導出口６１ｂとが設けられている。
【００３５】
内部のガス流路６１には、上流側より安全弁６２用の弁孔、メイン弁６３用の弁孔が設けられている。メイン弁６３用の弁孔の下流側は、大火用の流路６１ｃと小火用の流路６１ｄとが並列に設けられており、大火用の流路６１ｃに大火力／小火力切替用のラッチ式電磁弁ＬＢ１用の弁孔が設けられており、小火用の流路６１ｄにラッチ式電磁弁ＬＢ２用の弁孔が設けられている。
ラッチ式電磁弁ＬＢ１の弁孔の下流側と、ラッチ式電磁弁ＬＢ２の下流側に位置する小火用オリフィスｏｆ２の下流側で大火用の流路６１ｃと小火用の流路６１ｄとが合流するように構成されており、さらにその下流側には、火力調節レバー１５と連動する流量制御弁６５用の弁孔が設けられている。
【００３６】
因みに、上述した容器検知手段２５により調理容器が検知されていないときに点消火ボタン１４を操作した場合には、制御部１００によりラッチ式電磁弁ＬＢ１およびラッチ式電磁弁ＬＢ２が閉止されて、加熱を開始しないようにする容器検知制御が行われる。これにより、五徳２１上に調理容器が載置されていない場合にはコンロバーナ３１に炎が形成されないようにすることができる。
【００３７】
また、ガス流路６１には、前記ラッチ式電磁弁ＬＢ１およびラッチ式電磁弁ＬＢ２を設けた部分をバイパスするバイパス流路ＢＰが設けられており、このバイパス流路ＢＰにバイパス用オリフィスｏｆ１が設けられている。バイパス用オリフィスｏｆ１は、ガス弁ブロック６を複数器種で共用するために設けられるもので、ガス弁ブロック６を他の機種への応用において使用するときには開口される場合があるが、この実施形態においては、バイパス用オリフィスｏｆ１は閉塞体（図示せず）により閉塞されている。
【００３８】
火力調節レバー１５を中火から大火の間の位置に設定しておいたときに、コンロバーナ３１の火力は、ラッチ式電磁弁ＬＢ１とラッチ式電磁弁ＬＢ２の開・閉の組み合わせに応じて、制御部１００により、表１に示されているような態様で調整制御される。
【００３９】
【表１】
2018179431.tif 000003
【００４０】
なお、ラッチ式電磁弁ＬＢ１、ＬＢ２は、開弁用の極性のパルス電流の通電により開放状態に移行し、その後は通電を停止した後にも開放状態を維持し、閉弁用の極性（開弁用とは逆極性）のパルス電流の通電により閉止状態に移行し、その後は通電を停止した後にも閉止状態を維持する。このとき電流のパルス幅は２００〜３００ｍ秒に設定されており、コンロの火力を種々の状態に維持する場合にも省電力であることから、機器の電源として乾電池が用いられる場合に特に好適に用いられる。
【００４１】
流量制御弁６５用の弁孔の下流側は、コンロバーナ３１にガスを供給するための導出口６１ｂに至る。器具栓本体６０には、スライダ６６が前後方向に移動自在に取り付けてあり、スライダ６６は前端面が点消火ボタン１４に組み込まれたチャイルドロック用スライド部（図示せず）により後方に押圧されることで後退するように構成されている。
【００４２】
チャイルドロック用スライド部が内部に組み込まれた点消火ボタン１４は、前後動自在に設けられるもので、前記点消火ボタン１４の指で押される部分よりも上側の部分がコンロ本体側に枢支されて指で押される部分が前後動し、スライダ６６の前端面を後方に押圧する。スライダ６６には、例えば既存のハート型カム等からなる前位置と後位置の切替機構（図示せず）が設けられており、前記点消火ボタン１４を押し操作する毎に、スライダ６６が後位置から前進して前位置に位置したり、前位置から後退して後位置に位置したりして、前位置と後位置とが切り替わって保持されるように構成されている。
【００４３】
また、スライダ６６の進退に伴って進退するバルブロッド６７が設けられている。バルブロッド６７の先端側はガス流路６１内に挿入され、その先端部は後方すなわち下流側より上流側に向けて、メイン弁６３用の弁孔と安全弁６２用の弁孔とに挿通されている。
【００４４】
バルブロッド６７は、スライダ６６が前位置から後位置に切り替わる際、一旦後位置よりも後方の最後位置に後退してから後位置にまで前進するが、この最後位置に移動したときに、安全弁６２用の弁孔を上流側より閉止している安全弁６２の弁体を上流側に移動させて、安全弁６２用の弁孔を開放する。
安全弁６２は電磁弁からなり、弁体が前方すなわち下流側に前進することで安全弁６２用の弁孔を後方より閉止し、弁体が後方すなわち上流側に後退することで安全弁６２用の弁孔を開放する。
【００４５】
安全弁６２は、点火検知装置２４により火炎が検知されている場合にのみ制御部１００により開放状態が維持され、火炎が検知されなくなると制御部１００による開放状態の維持が停止して閉止される。これにより、煮こぼれや風により立ち消えが起こって点火検知装置２４の火炎が検知されなくなった場合に、燃料ガスの流出が防止される。また、温度センサ２６により検知された調理容器の下面の温度が所定の温度（例えば２５０℃）に達すると、空焚きや焦げ付き等の異常が発生していると判定して、安全弁６２を閉止する。このように、安全弁６２、点火検知装置２４、温度センサ２６により異常検知手段が構成されている。
【００４６】
バルブロッド６７の途中には、メイン弁６３用の弁孔を開閉するメイン弁体が設けられている。そして、スライダ６６が前位置に位置しているときにはメイン弁体がメイン弁６３用の弁孔を後方より閉止し、スライダ６６が後位置に位置しているときにはメイン弁体がメイン弁６３用の弁孔より後方に位置してメイン弁６３用の弁孔を開放する。
【００４７】
流量制御弁６５用の弁孔は、火力調整用のニードル６５ａの前後方向の移動により開度が自在に調節される。ニードル６５ａは、火力調節レバー１５を操作することで、開度の調節がなされ、火力調節レバー１５が右に行く程、燃料ガスの供給量が多くなるように調節される。
また、点消火ボタン１４またはスライダ６６の位置によりＯＮ／ＯＦＦが切り替わる器具栓スイッチ（図示せず）が設けられている。器具栓スイッチは、点消火ボタン１４（またはスライダ６６）が前位置に位置しているときにはＯＦＦとなり、後位置（最後位置も含む）に位置しているときにＯＮとなる。
【００４８】
コンロバーナ３１、グリルバーナの点火を行うには、点消火ボタン１４を押し操作して、スライダ６６を前位置から後位置に後退させる。スライダ６６とともに後退したバルブロッド６７により、安全弁６２が開放されるとともにメイン弁６３が開放され、燃料ガスがコンロバーナ３１、グリルバーナに供給される。
また、スライダ６６が後退することにより器具栓スイッチがＯＮとなり、制御部１００への給電がＯＮとなって制御部１００が動作を開始する。
【００４９】
点消火ボタン１４が押し操作されて、加熱が開始されると、火力調節レバー１５を操作することで、所望の火力が得られる。なお、左側のコンロバーナ３１を備えたコンロ部２ａの火力調節レバー１５は、該コンロ部２ａの操作部を操作して点火を行うとき、操作部の操作と連動して火力が中火力側に移動するように構成されており、点火時には中程度の火力となるように構成されている。
【００５０】
スライダ６６を前位置にすると、メイン弁６３が閉止して消火し、器具栓スイッチがＯＦＦになり、安全弁６２が閉止するとともに電源保持信号の出力が停止して制御部１００への給電が終了する。
【００５１】
次に、自動調理について説明する。ガスコンロ１の左側の前面パネルの下側には、図１に示すように、コンロ用の調理設定部７ａが設けられている。なお、ガスコンロ１の右側の前面パネルの右下の左側には、グリル用の調理設定部７ｂが設けられているが細部については詳述しない。また、ガスコンロ１の右側の前面パネルの右下の右側には、マイクロコンピュータからなる制御部１００の電源となる電池が収容される電池ケース１３が設けられている。
【００５２】
コンロ用の調理設定部７ａは、揚げもの、湯わかし、炊飯の自動調理のメニュー（オートメニュー）を設定するための一組のオートメニュー設定部７１およびオートメニュー表示部７２と、調理時間を設定するためのタイマ入力部７３およびタイマ表示部７４とを備えている。
【００５３】
オートメニュー設定部７１として、揚げものスイッチ７１ａと、湯わかしスイッチ７１ｂと、炊飯スイッチ７１ｃとが設けられている。揚げものモードは、コンロバーナ３１の点火後、使用者により設定された温度に達するようにコンロバーナ３１の火力を自動調節する自動調理モードであり、揚げものスイッチ７１ａは、何回押すかで２００℃、１８０℃、１６０℃といった複数種類の揚げものの調理の中から目的とする温度の揚げもの調理が設定できるとともに、揚げもの表示部７２ａに前記設定が表示されるように構成されている。
【００５４】
また、湯わかしモードや炊飯モードは、コンロバーナ３１の点火後、予め設定された燃焼条件で燃焼させ、湯わかしや炊飯の完了が予測される時点で自動的にコンロバーナ３１を消火する自動調理モードである。
【００５５】
湯わかしスイッチ７１ｂは、何回押すかで自動消火、５分保温といった、湯わかし後にすぐ消火するか、あるいは一定時間保温するかというような湯わかしの態様を選択して設定することができるように構成されているとともに、湯わかし表示部７２ｂに前記設定が表示されるように構成されている。また、炊飯スイッチ７１ｃは、何回押すかでごはん、おかゆといった複数種類の炊飯調理モードの中から目的とする炊飯調理モードを設定することができるように構成されているとともに、炊飯表示部７２ｃに前記設定が表示されるように構成されている。
【００５６】
揚げものモードを選択して、制御部１００によって揚げものモードが実行される場合を一例として、ラッチ式電磁弁ＬＢ１について詳しく説明する。
【００５７】
揚げものスイッチ７１ａを押し操作し、揚げものモードを選択してコンロバーナ３１に点火すると、制御部１００によって揚げものモードが実行され、制御部１００は、温度センサ２６により検出される調理容器の温度を設定された温度（２００℃、１８０℃、１６０℃の何れか）に維持すべく、ラッチ式電磁弁ＬＢ１を開閉し、コンロバーナ３１の火力を大火力と小火力とに切替える。
【００５８】
詳述すると、温度センサ２６により検出される調理容器の温度の値が設定された温度より大きいときは、ラッチ式電磁弁ＬＢ１を閉弁して、図３Ｂに示す小火用オリフィスｏｆ２を備えた小火用流路６１ｄのみからコンロバーナ３１にガスが供給されて、コンロバーナ３１の火力が小火力になり、また、温度センサ２６により検出される調理容器の温度が設定された温度より小さいときはラッチ式電磁弁ＬＢ１を開弁して、小火用オリフィスｏｆ２を備えた小火用流路６１ｄとラッチ式電磁弁ＬＢ１の両方の流路からコンロバーナ３１にガスが供給されて、コンロバーナ３１の火力が大火力になるように構成されている。
【００５９】
上述のように、この実施形態のガスコンロ１においては、コンロバーナ３１によって自動調理を行うことが可能で、コンロバーナ３１による自動調理には、制御部１００が自動的にコンロバーナ３１の燃焼を停止する調理モードが含まれている。
【００６０】
また、詳細な説明は省略するが、ガスコンロ１においては、グリル用の調理設定部７ｂを用いてグリル２ｂによって自動調理を行うことができるように構成されており、グリル用の調理設定部７ｂを用いたグリル２ｂによる自動調理には、制御部１００が、グリルバーナ（図示せず）の燃焼を停止する調理モードが含まれている。
【００６１】
なお、ガスコンロ１においてコンロバーナ３１によって自動調理を行い、制御部１００が、自動的にコンロバーナ３１の燃焼を停止したとき、制御部１００は、点消火ボタン１４ａや点消火ボタン１４ｃを消火位置に戻すよう促す報知を行うように構成されている。この報知としては、「ピッピッピッ」というブザーによる報知を５分間隔で繰り返すように構成されている。
【００６２】
また、グリル２ｂにおいてグリルバーナ（図示せず）によって自動調理を行い、制御部１００が、にグリルバーナの燃焼を停止したとき、制御部１００は、点消火ボタン１４ｂを消火位置に戻すよう促す報知を行うように構成されている。この報知も、「ピッピッピッ」というブザーによる報知を５分間隔で繰り返すように構成されている。
【００６３】
＜特徴的構成＞
ガスコンロ１は、このガスコンロ１が備える制御部１００との間で通信データの通信を行うために無線通信を行うリモコン側無線通信部５０Ｓを備えているとともに、加熱／停止手動操作部（点消火ボタン１４（１４ａ、１４ｂ、１４ｃ））を操作する（閉じ操作する）ことを促す報知４０を具備するリモコン５０（図４参照）を備えている。
【００６４】
この実施形態においては、リモコン５０は、報知部４０として、音による報知を行うブザー報知部４０ａと、リモコン５０の自動消火お知らせランプ３０の点滅により報知を行う光報知部４０ｂとを備えている。
【００６５】
なお、リモコン５０とガスコンロ１との通信は、ガスコンロ１の無線通信部２００Ｓと、リモコン側無線通信部５０Ｓとの間で行われる。
【００６６】
そして、リモコン５０は、コンロバーナ（ガスバーナ）３１またはグリルバーナ（ガスバーナ）（図示せず）による自動調理が終了した時点で、報知部４０を構成するブザー報知部４０ａおよび光報知部４０ｂによって報知を行う。なお、報知は、ブザー報知部４０ａおよび光報知部４０ｂのいずれか一方で行ってもよい。
【００６７】
なお、リモコン５０が備える報知部４０によって報知を行う構成については、後に詳述する。
【００６８】
また、リモコン５０は、停止指令スイッチ５１（図４）を備えている。なお、停止指令スイッチ５１は、その表面に「ブザー停止」の表示がなされており、使用者がこの停止指令スイッチ５１を押し操作することで、報知（ブザー報知部４０ａの鳴動および光報知部４０ｂである自動消火お知らせランプ３０の点滅）を終了する。
【００６９】
その後使用者は、ガスコンロ１の加熱／停止手動操作部１４、すなわち、点消火ボタン１４ａ、点消火ボタン１４ｂ、点消火ボタン１４ｃを消火位置に戻す操作を行う。
【００７０】
ガスコンロ１の制御部１００は、加熱／停止手動操作部１４（点消火ボタン１４ａ、点消火ボタン１４ｂ、点消火ボタン１４ｃ）の消火位置への戻し操作を検出して、上述の報知、すなわち、点消火ボタン１４ａ、点消火ボタン１４ｂ、点消火ボタン１４ｃを消火位置に戻すよう促す報知を終了する。
【００７１】
この実施形態にかかるガスコンロ（ガス調理器）１は上述のように構成されており、自動調理が終了した時点で、リモコン５０に備える報知部４０が自動調理が終了した旨の報知を行うように構成されるので、使用者がガスコンロ（ガス調理器）１から離れた場所にいる場合であっても、加熱／停止手動操作部１４を消火位置に戻すことを促す報知に気付きやすいため、無駄な報知を継続することのないガス調理器を提供することが可能になる。
【００７２】
次に、リモコン５０が備える報知部４０によって報知を行う構成について説明を行う。
【００７３】
この実施形態では、ガスコンロ１に備える制御部１００が、自動調理が終了した時点で、リモコン５０に対して無線通信によって通信データとして自動調理終了信号を送信するように構成されている。
【００７４】
そして、リモコン５０が、自動調理終了信号を受信したとき、リモコン５０が備える報知部４０（４１ａ、４１ｂ）によって報知を行うように構成されている。
【００７５】
また、この実施形態では、製造される複数のガスコンロ１に対して、それぞれ異なるＩＤコードが設定されており、複数のガスコンロ１のそれぞれに対応するリモコン５０にも、複数のガスコンロ１のそれぞれに設定されたＩＤコードに対応するＩＤコード（ガスコンロ１に設定されたＩＤコードと同じＩＤコード）が設定されている。
【００７６】
そして、ガスコンロ１が備える制御部１００が、リモコン５０との無線通信において、通信データにこのＩＤコードを含めて送信するように構成されている。
【００７７】
そして、リモコン５０が、受信した通信データに当該リモコン５０に対応するＩＤコードが含まれるとき、通信データを当該リモコン５０に対応する制御部１００からの通信データとして受信するように構成されている。
【００７８】
この実施形態にかかるガスコンロ１は上述のように構成されているので、複数のガスコンロ１が設置されている場合にも、リモコン５０が、そのリモコン５０に対応するガスコンロ１の制御部１００以外の制御部から送信される通信データによって誤動作（誤報知）することを防止できる。
【００７９】
また、この実施形態にかかるガスコンロ１においては、ＩＤコードがガスコンロ１の制御部１００に格納されているとともに、ガスコンロ１には、ＩＤコードを制御部１００からリモコン５０に転送するためのＩＤコード転送手段１１０が配設されている（図１、図５、図６）。すなわち、制御部１００が、ＩＤコード転送手段１１０によって、ＩＤコードをリモコン５０に転送することができるように構成されている。
【００８０】
この実施形態のガスコンロ１はこのように構成されているので、メンテナンスなどにより、ガスコンロ１の制御部１００、あるいは、リモコン５０を取り換えることが必要になった場合に、制御部１００とリモコン５０を同じＩＤコードによって対応付けることができる。
【００８１】
＜リモコンの電源について＞
次に、ガスコンロ１が備えるリモコン５０の電源について説明する。
【００８２】
この実施形態にかかるガスコンロ１が備えるリモコン５０は、バッテリー（図示せず）を電源としている。
【００８３】
また、ガスコンロ１は、図５、図６に示すように、リモコン５０を収容、保持するリモコンホルダ７５を備えているとともに、交番磁界を発生させる交番磁界発生部（一次巻線）７０を備えている。なお、交番磁界発生部（一次巻線）７０は、リモコンホルダ７５に近接して配設されている。
【００８４】
また、リモコン５０には二次巻線８０が設けられている。
【００８５】
そして、当該リモコン５０がリモコンホルダ７５内の所定位置に収容、保持された状態において、リモコン５０が備える二次巻線８０が、一次巻線７０により発生した交番磁界によって交流電圧を発生させるように構成されている。
【００８６】
また、リモコン５０は、特に図示しないが、二次巻線８０に発生した交流電圧を直流電圧に変換して直流電圧を発生させる直流電圧発生部と、直流電圧発生部で発生した直流により充電されるバッテリーを備えている。
【００８７】
その結果、リモコン５０が備えるバッテリーが、上述の直流電圧発生部で発生した直流によって充電されるように構成されている。
【００８８】
＜ＩＤコード転送手段について＞
上述のように、この実施形態にかかるガスコンロ１は、制御部１００に格納されているＩＤコードをリモコン５０に転送するＩＤコード転送手段１１０を備えており、この実施形態では、交番磁界発生部（一次巻線）７０、リモコン５０が備える二次巻線８０などからＩＤコード転送手段１１０が構成されている。
【００８９】
そして、この実施形態にかかるガスコンロ１においては、交番磁界発生部（一次巻線）７０に重畳されたＩＤコードが、リモコン５０において二次巻線８０に発生した交流電圧に重畳される形態で、ガスコンロ１の制御部１００からリモコン５０に転送されるように構成されている。
【００９０】
このように、制御部１００に格納されているＩＤコードが、リモコン５０において二次巻線８０に発生した交流電圧に重畳される形態で、ガスコンロ１の制御部１００からリモコン５０に転送されるように構成した場合、リモコン５０の電源となるバッテリーを充電する際や、ガスコンロ１の制御部１００からリモコン５０にＩＤコードを転送するときに、電線による制御部１００とリモコン５０との接続が不要になり、構成を簡略化することが可能になるとともに、接続不良や接点の接触不良などを引き起こすことがなく、信頼性が高く、使い勝手の良好なガスコンロを実現することが可能になる。
【００９１】
なお、本発明において、制御部１００とリモコン５０との間で行われる無線通信の方式としては、周知の種々の通信方式が採用可能であり、詳細な説明は省略する。
【００９２】
［別実施形態］
また、本発明のガス調理器（ガスコンロ）においては、図７に示すように、リモコン５０に磁石９０（９０ａ、９０ｂ）を配設し、リモコン５０がリモコンホルダ７５内において位置ずれすることなく、確実に所定の位置に保持されるように構成することができる。
【００９３】
このように構成することで、リモコン５０の電源となるバッテリーの充電をより確実に行うことが可能になり、ＩＤコードの送受信などの動作を適正に行わせることが可能な、信頼性の高いガスコンロ（ガス調理器）を提供できるようになる。
【００９４】
なお、この場合、磁石９０（９０ａ、９０ｂ）を、二次巻線８０から離隔することで、一次巻線７０と二次巻線８０との電磁的な結合に悪影響を及ぼすことを回避することができる。
【００９５】
また、本発明のガス調理器（ガスコンロ）においては、ガスコンロ１に対して「所定の操作」を行った時点で、リモコン５０が音による報知を行うように構成することができる。
【００９６】
なお、上記「所定の操作」としては、ガスバーナによる加熱開始のための「点消火スイッチ１４ａ、点消火スイッチ１４ｂ、点消火スイッチ１４ｃなどの操作や、この報知専用に設けた報知用スイッチ（図示せず）の操作などが例示されるが、上記「所定の操作」に特別の制約はない。
【００９７】
上述のように、ガスコンロ１に対して「所定の操作」を行った時点で、リモコン５０が音による報知を行うように構成した場合、リモコン５０をどこかに置き忘れた場合などに、ガスコンロ１に対して所定の操作を行うことで、リモコン５０に音による報知を行わせてリモコン５０の存在場所を知らせることができるので、使い勝手を向上させることができる。
【００９８】
なお、上記実施形態では、グリルを備えたガスコンロを示したが、グリルを備えていないガスコンロにも本発明を適用することが可能である。
【００９９】
さらに、本発明は、ビルトイン型ではなく卓上設置型のテーブルコンロにも適用することが可能である。
【０１００】
また、本発明は、ガスコンロを備えていないグリルにも適用することが可能である。
【０１０１】
本発明は、さらにその他の点においても上記実施形態に限定されるものではなく、本発明の範囲内において種々の変形を加えることが可能である。
【符号の説明】
【０１０２】
１        ガスコンロ
２        加熱部
２ａ      コンロ部
２ｂ      グリル
６        ガス弁ブロック（ガス量調節部）
７ａ      コンロ用の調理設定部
７ｂ      グリル用の調理設定部
１１      トッププレート
１２      前面部
１３      電池ケース
１４（１４ａ、１４ｂ、１４ｃ）    点消火ボタン（加熱／停止手動操作部）
１５      火力調節レバー
２１      五徳
２３      点火装置
２４      点火検知装置
２５      容器検知手段
２６      温度センサ
２８      グリル扉
３０      自動消火お知らせランプ
３１      コンロバーナ（ガスバーナ）
４０      報知部
４０ａ    ブザー報知部
４０ｂ    光報知部
５０Ｓ    リモコン側無線通信部
５０      リモコン
５１      停止指令スイッチ
６１ｃ    大火用の流路
６１ｄ    小火用の流路
６２      安全弁
６３      メイン弁
６５      流量制御弁
６６      スライダ
６７      バルブロッド
７０      交番磁界発生部（一次巻線）
７１      オートメニュー設定部
７２      オートメニュー表示部
７３      タイマ入力部
７４      タイマ表示部
７５      リモコンホルダ
８０      二次巻線
９０（９０ａ、９０ｂ）    磁石
１００    制御部
１１０    ＩＤコード転送手段
２００Ｓ  無線通信部
ＬＢ１、ＬＢ２  ラッチ式電磁弁
【図１】
2018179431.tif 000004
【図２】
2018179431.tif 000005
【図３Ａ】
2018179431.tif 000006
【図３Ｂ】
2018179431.tif 000007
【図３Ｃ】
2018179431.tif 000008
【図４】
2018179431.tif 000009
【図５】
2018179431.tif 000010
【図６】
2018179431.tif 000011
【図７】
2018179431.tif 000012